(57)【要約】【課題】マスクの着脱が容易に行え、尚且つマスクを精確に位置決めすることが可能な液晶表示装置を提供する。【解決手段】液晶表示パネル２を保持するパネル保持部（ヒートシンク）１１の表面には、液晶表示パネル２を囲繞するように枠状の見切り支持台１２がネジ留め固定され、更に見切り支持台１２には開口部１３ａを有する見切り部材（マスク）１３がバネ弾性を利用して着脱可能に位置決め固定されている。液晶表示装置の組立工程中等に液晶表示パネル２の表示面にゴミ等が付着した場合には、見切り部材１３を見切り支持台か１２ら取り外して簡単に除去でき、尚且つ見切り部材１３が液晶表示パネル２に対して位置ズレを生じていた場合には、ネジ１４を緩めて見切り支持台１２ごとマスク１３を移動させ、位置ズレを修正することが可能である。【選択図】図１
2008083424.tif 000002
【特許請求の範囲】
【請求項１】
液晶表示パネルの有効表示領域に対応した開口部を有する見切り部材を備えた液晶表示装置であって、少なくとも、
液晶表示パネルと、
当該液晶表示パネルを保持するパネル保持部と、
当該パネル保持部にネジ留め固定され、当該ネジ留めによる締結力を弱めた状態で前記パネル保持部表面に沿って移動可能な見切り支持台とを備え、
前記見切り部材は、前記見切り支持台にバネ弾性を利用して着脱可能に固定されていることを特徴とする液晶表示装置。
【請求項２】
前記見切り部材は、当該見切り部材の周縁部から外側へ向けて突出した鍔部と、前記見切り支持台から上方へ向けて突出したバネ弾性を有する立上げ部とが互いに係合することで、前記見切り支持台に着脱可能に固定されていることを特徴とする請求項１に記載の液晶表示装置。
【請求項３】
前記鍔部の先端は、折り曲げられて丸みを帯びていることを特徴とする請求項２に記載の液晶表示装置。
【請求項４】
前記見切り部材には、前記見切り支持台の互いに対向する二辺に当接して前記見切り部材の一方向を位置決めする立下げ部が設けられていることを特徴とする請求項１〜３の何れか１つに記載の液晶表示装置。
【請求項５】
前記見切り支持台は、少なくとも二つのネジで前記パネル保持部にネジ留め固定されると共に、当該二つのネジのうち一方のネジが挿通されるべく前記見切り支持台に設けられる挿通穴は、一端側が開放された切欠状の穴であることを特徴とする請求項１〜４の何れか１つに記載の液晶表示装置。
【請求項６】
前記見切り部材表面には、光吸収性材料から成る光吸収層が形成され、当該光吸収層は、前記見切り部材と前記見切り支持台との接触部位には形成されていないことを特徴とする請求項１〜５の何れか１つに記載の液晶表示装置。
【発明の詳細な説明】
【技術分野】
【０００１】
本発明は、液晶表示パネルの有効表示領域に対応した開口部を有する見切り部材を備えた液晶表示装置に関するものである。
【背景技術】
【０００２】
液晶表示パネルを用いた液晶表示装置においては、液晶表示パネルの有効表示領域以外の不要な領域が視認者側から視認されないようにするため、液晶表示パネルの有効表示領域に対応する開口部が設けられた見切り部材（以下、マスク）を液晶表示パネル上方に配置するのが一般的である。
【０００３】
図５は従来の液晶表示装置を示す図で、図６は従来の液晶表示装置に係るマスクを示す図である。映像信号入力用のＦＰＣ１が接続された液晶表示パネル２は、裏面に補強板３が固定された状態でパネル保持部材であるヒートシンク４に設けられた凹部４ａ内に収容されて位置決めが成されている。液晶表示パネル２の上方には、液晶表示パネル２の有効表示領域に対応した開口部５ａを有するマスク５が配置され、その長手方向の互いに対向する二辺に一体的に形成されたバネ弾性を有する二対のフック５ｂが、ヒートシンク４の側端部に設けられたフック係合用の段差部４ｂに係合することで、マスク５がヒートシンク４に位置決め固定されている。（例えば、特許文献１、２、３参照）
【０００４】
以上の構成においては、マスク５の着脱はフック５ｂと段差部４ｂとの係合と非係合とを切り換えるだけで行えるため、液晶表示装置の組立工程中等に液晶表示パネル２の表示面にゴミ等が付着した場合であっても、マスク５を取り外してそれらを簡単に除去することが可能である。尚、液晶表示パネル２の表示面に付着したゴミ等は、液晶表示パネル２の表示映像に重大な影響を及ぼすものである。
【特許文献１】特開２００２−１８９２１０号公報
【特許文献２】特開２００２−２６８０４１号公報
【特許文献３】特開２００４−２７９９６４号公報
【発明の開示】
【発明が解決しようとする課題】
【０００５】
以上説明した従来の液晶表示装置はマスクの着脱が容易に行える反面、マスクを液晶表示パネルに対して精確に位置決めするという観点からすれば問題点がある。即ち、マスクと液晶表示パネルとの位置決め精度は、ヒートシンク上における液晶表示パネルの保持精度とマスクとヒートシンクとの係合精度に依存するが、マスク、液晶表示パネル、ヒートシンク等の各部材には加工精度に誤差があるため、それらの各部材同士をそのまま一様に組み立てたとしても、必ずしもマスクの開口部と液晶表示パネルの有効表示領域とは精確に一致しないものである。マスクの位置決めが精確に成されないと、マスクはマスクとしての機能を十分に果たさず、液晶表示装置の品質を下げることとなる。
【０００６】
本発明は、以上のような問題点に鑑みて成されたものであり、マスクの着脱が容易に行え尚且つマスクを精確に位置決めすることが可能な液晶表示装置を提供することを目的とする。
【課題を解決するための手段】
【０００７】
液晶表示パネルの有効表示領域に対応した開口部を有する見切り部材を備えた液晶表示装置であって、少なくとも、液晶表示パネルと、当該液晶表示パネルを保持するパネル保持部と、当該パネル保持部にネジ留め固定され、当該ネジ留めによる締結力を弱めた状態で前記パネル保持部表面に沿って移動可能な見切り支持台とを備え、前記見切り部材は、前記見切り支持台にバネ弾性を利用して着脱可能に固定されている液晶表示装置とする。
【０００８】
前記見切り部材は、当該見切り部材の周縁部から外側へ向けて概ね水平に突出した鍔部と、前記見切り支持台から上方へ向けて突出したバネ弾性を有する立上げ部とが互いに係合することで、前記見切り支持台に着脱可能に固定されている液晶表示装置とする。
【０００９】
前記鍔部の先端は、折り曲げられて丸みを帯びている液晶表示装置とする。
【００１０】
前記見切り部材には、前記見切り支持台の互いに対向する二辺に当接して前記見切り部材の一方向を位置決めする立下げ部が設けられている液晶表示装置とする。
【００１１】
前記見切り支持台は、少なくとも二つのネジで前記パネル保持部にネジ留め固定されると共に、当該二つのネジのうち一方のネジが挿通されるべく前記見切り支持台に設けられる挿通穴は、一端側が開放された切欠状の穴である液晶表示装置とする。
【００１２】
前記見切り部材表面には、光吸収性材料から成る光吸収層が形成され、当該光吸収層は、前記見切り部材と前記見切り支持台との接触部位には形成されていない液晶表示装置とする。
【発明の効果】
【００１３】
本発明においては、マスクを搭載した見切り支持台をパネル保持部にネジ留めしているため、マスクの開口部が液晶表示パネルの有効表示領域に対して位置ズレを生じていた場合には、見切り支持台ごとマスクを適宜移動させることで位置修正が行え、尚且つマスクは見切り支持台にバネ弾性を利用して着脱可能に固定されているため、液晶表示パネルの表示面にゴミ等が付着した場合には、マスクを見切り支持台から取り外して簡単に除去することが可能である。
【発明を実施するための最良の形態】
【００１４】
図１は本発明の液晶表示装置を示す図、図２は本発明の液晶表示装置に係るマスクと見切り支持台とを互いに組み付けた状態を示す図、図３は本発明の液晶表示装置に係る見切り支持台を示す図、図４は本発明の液晶表示装置に係るマスクを示す図である。本発明の液晶表示装置において、映像信号入力用のＦＰＣ１が接続された液晶表示パネル２は、裏面に補強板３が固定された状態で液晶表示パネル２の保持部材であるヒートシンク１１に設けられた凹部１１ａ内に収容されて位置決めが成されている。
【００１５】
ヒートシンク１１は、Ａｌ等の熱伝導性に優れた金属から成り、裏面に直線的なヒダ状の放熱フィン１１ｂが形成されているもので、液晶表示装置をプロジェクター等の高強度の光に曝される用途に用いる場合に液晶表示パネル２の温度上昇を抑える作用がある。
【００１６】
ヒートシンク１１に保持された液晶表示パネル２の周囲には、液晶表示パネル２を囲繞するように図３に示す如きＳＵＳから成る枠状の見切り支持台１２が配置されている。見切り支持台１２には、ヒートシンク１１に設けられたネジ穴１１ｃに対応した位置にネジ径よりも僅かに大きなネジ挿通用の円形の挿通穴１２ａが短辺片側に二箇所設けられ、一方ではそれと対向する短辺片側に一端側が開放された切欠状の切欠穴１２ｂが二箇所設けられており、それら各穴１２ａ、１２ｂにネジ１４が挿通されて先端がヒートシンク１１のネジ穴１１ｃにねじ込まれることで、見切り支持台１２がヒートシンク１１に位置決め固定されている。
【００１７】
見切り支持台１２は、ネジ１４の締結力のみでヒートシンク１１に固定されているため、ネジ１４を緩めることで、ネジ径と穴径の寸法差の範囲内でヒートシンク１１表面に沿って平面方向へ移動させることが可能である。
【００１８】
ここで、ネジ挿通用の穴１２ａ、１２ｂのうち一端側は切欠状の切欠穴１２ｂとされているため、外部からの熱により見切り支持台１２に応力が発生した場合には、その部分で応力を逃がすことができ、見切り支持台１２の変形を防止することができる。
【００１９】
また、見切り支持台１２をヒートシンク１１に取付ける際に、ネジ１４をヒートシンク１１のネジ穴１１ｃに仮留めした状態で、見切り支持台１２に設けられた切欠穴１２ｂをネジ１４に押し当てることで、見切り支持台１２の長手方向を仮に位置決めすることができるため、その後のネジ留めによる見切り支持台１２の取付け作業が効率的に行える。
【００２０】
また、見切り支持台１２の長手方向の一辺には、上方へ向けて屈曲された立上げ部１２ｃが二箇所設けられ、一方ではそれと対向する長手方向の一辺に同じく上方へ向けて屈曲された立上げ部１２ｄが一ヶ所設けられている。それら立上げ部１２ｃ、１２ｄのうち、二箇所設けられた側の立上げ部１２ｃは、長さや曲率を調整することで比較的剛性が高く設定されており、一方で一箇所設けられた側の立上げ部１２ｄは比較的剛性が低く設定され、ある程度のバネ弾性が備えられている。
【００２１】
見切り支持台１２の上方には、図４に示す如き開口部１３ａを有するマスク１３が液晶表示パネル２の表示面を覆うように配設され、開口部１３ａから液晶表示パネル２の有効表示領域が好適に露呈されるように位置決めされている。
【００２２】
マスク１３の長手方向の一辺には平面方向外側へ突出した鍔部１３ｂが二箇所設けられ、一方ではそれと対向する長手方向の一辺に同じく平面方向外側へ突出した鍔部１３ｃが一ヶ所設けられており、それら鍔部１３ｂ、１３ｃが見切り支持台１２の立上げ部１２ｃ、１２ｄにそれぞれ係合することで、図２に示すようにマスク１３が見切り支持台１２に着脱可能に固定された状態となっている。ここで、見切り支持台１２の一方の立上げ部１２ｄに係合したマスク１３の鍔部１３ｃには、見切り支持台１２の立上げ部１２ｄから内側へ向けてバネ弾性による付勢力が作用している。
【００２３】
また、マスク１３に設けられた鍔部１３ｂ、１３ｃの先端は、図２中Ｄ部拡大図及びＥ部拡大図に示すように反対方向へ折り曲げられて縁部が丸みを帯びた状態となっており、その部位が見切り支持台１２に設けられた立上げ部１２ｃ、１２ｄの丸みを帯びた部位に当接することで、マスク１３の鍔部１３ｂ、１３ｃが見切り支持台１２の立上げ部１２ｃ、１２ｄにそれぞれ円滑に係合するようになっている。
【００２４】
マスク１３を見切り支持台１２に装着する際には、まずマスク１３に設けられた一方の鍔部１３ｂを見切り支持台１２に設けられた比較的剛性が高い側の立上げ部１２ｃに突き当て、その状態を維持しつつマスク１３の反対側を上方より押し下げて他方の鍔部１３ｃを見切り支持台１２のバネ弾性を有する立上げ部１２ｄに係合させる。
【００２５】
尚、マスク１３を見切り支持台１２に着脱可能に固定する機構としては、以上の構成に限定されるものではなく、例えば見切り支持台１２に設けられる立上げ部１２ｃ、１２ｄをフック状とし、そこにマスク１３の鍔部１３ｂ、１３ｃを係合させる形態等も取り得る。
【００２６】
また、マスク１３の短手方向の二辺にはヒートシンク１１側へ向けて突出した立下げ部１３ｄが設けられており、それら立下げ部１３ｄが見切り支持台１２の短手方向の二辺に当接することでマスク１３の長手方向が見切り支持台１２に対して位置決めされている。
【００２７】
マスク１３の表面には、光吸収性材料（例えば黒色塗料）から成る光吸収層が形成されているが、光吸収層が液晶表示装置の組立工程中等に剥がれ落ちて液晶表示パネルの表示面に付着するのを回避するため、マスク１３の鍔部１３ｂ、１３ｃと見切り支持台１２の立上げ部１２ｃ、１２ｄとの係合部位や、マスク１３の立下げ部１３ｄと見切り支持台１２の側端部との当接部位等、マスク１３と見切り支持台１２とが接触する部位には、光吸収層は形成されていない。尚、光吸収層は、塗料を塗布することのみならず、光吸収性のフィルム等を添着することでも形成され得る。
【００２８】
以上説明した本発明の液晶表示装置においては、マスク１３は見切り支持台１２にバネ弾性を利用して着脱可能に固定されているため、液晶表示装置の組立工程中等に液晶表示パネル２の表示面にゴミ等が付着した場合には、マスク１３を取り外して簡単に除去することができ、尚且つマスク１３自体は位置調整可能な見切り支持台１２上に搭載されているため、マスク１３の開口部１３ａが液晶表示パネル２の有効表示領域に対してずれていた場合には、見切り支持台１２を固定しているネジ１４を緩めて位置ズレを修正することが可能である。
【図面の簡単な説明】
【００２９】
【図１】本発明の液晶表示装置を示す図
【図２】本発明の液晶表示装置に係るマスクと見切り支持台とを互いに組み付けた状態を示す図
【図３】本発明の液晶表示装置に係る見切り支持台を示す図
【図４】本発明の液晶表示装置に係るマスクを示す図
【図５】従来の液晶表示装置を示す図
【図６】従来の液晶表示装置に係るマスクを示す図
【符号の説明】
【００３０】
１      ＦＰＣ
２      液晶表示パネル
３      補強板
４      パネル保持部（ヒートシンク）
４ａ    凹部
４ｂ    段差部
５      見切り部材（マスク）
５ａ    開口部
５ｂ    フック
１１    パネル保持部（ヒートシンク）
１１ａ  凹部
１１ｂ  放熱フィン
１１ｃ  ネジ穴
１２    見切り支持台
１２ａ  挿通穴
１２ｂ  切欠穴
１２ｃ  立上げ部
１２ｄ  立上げ部
１３    見切り部材（マスク）
１３ａ  開口部
１３ｂ  鍔部
１３ｃ  鍔部
１３ｄ  立下げ部
１４    ネジ
【図１】
2008083424.tif 000003
【図２】
2008083424.tif 000004
【図３】
2008083424.tif 000005
【図４】
2008083424.tif 000006
【図５】
2008083424.tif 000007
【図６】
2008083424.tif 000008